(57)【特許請求の範囲】
【請求項１】
杭周固定液と掘削土砂との混合物が充填された杭穴に、杭径内部が中空のコンクリート製既製杭を埋設してなる杭基礎構造であって、埋設された前記既製杭の杭径内部は、少なくとも上杭の上端位置と該上端位置から２０ｍ下方の位置との間における該上端位置から所定の深さの範囲に充填されたセメントミルクによるセメントミルク層と、その下方の杭周固定液と掘削土砂との混合物による層とを含む複層からなり、前記セメントミルクの硬化物の一軸圧縮強度が５〜６５Ｎ／ｍｍ2であることを特徴とする杭基礎構造。
【請求項２】
請求項１に記載の杭基礎構造を構築する際に用いる回転キャップとしての既製杭埋設装置であって、該既製杭埋設装置は、前記既製杭を保持して埋設するための回転キャップ本体と、前記回転キャップ本体の中央から下方に向かって着脱自在に装着され、吐出液の吐出口が備わった吐出液供給ロッドとを有することを特徴とする既製杭埋設装置。
【請求項３】
前記吐出液供給ロッドの外面には、複数の撹拌翼が備わっていることを特徴とする請求項２に記載の既製杭埋設装置。
【請求項４】
前記吐出液供給ロッドの先端には、掘削ヘッドが備わっていることを特徴とする請求項２又は３に記載の既製杭埋設装置。
【請求項５】
請求項１に記載の杭基礎構造の構築方法であって、上杭としての前記既製杭を埋設する際に、前記既製杭を保持して埋設するための回転キャップ本体と、前記回転キャップ本体の中央から下方に向かって装着され、吐出液の吐出口が備わった吐出液供給ロッドとを有する回転キャップとしての既製杭埋設装置を用い、前記吐出液供給ロッドが前記既製杭の杭径内部に挿入される形で前記回転キャップ本体により埋設する前記既製杭を保持して該既製杭を自沈回転により埋設して上杭を設置し、上杭設置完了後に前記回転キャップ本体を逆回転させて該回転キャップ本体を上杭としての前記既製杭から外し、前記既製杭埋設装置を引き上げながら前記吐出口からセメントミルクを吐出して、上杭としての前記既製杭の杭径内部をセメントミルクで充填することを特徴とする杭基礎構造の構築方法。
【請求項６】
前記吐出液供給ロッドの外面には、複数の撹拌翼が備わっていることを特徴とする請求項５に記載の杭基礎構造の構築方法。
【請求項７】
前記吐出液供給ロッドの先端には、掘削ヘッドが備わっていることを特徴とする請求項５又は６に記載の杭基礎構造の構築方法。
【発明の詳細な説明】
【技術分野】
【０００１】
本発明は、杭周固定液と掘削土砂との混合物が充填された杭穴に杭径内部が中空の既製杭を埋設してなる杭基礎構造、該杭基礎構造を構築するのに用いる既製杭埋設装置、該既製杭埋設装置を用いた前記杭基礎構造の構築方法に関する。
【背景技術】
【０００２】
杭径内部が中空の既製杭による杭基礎構造を構築する施工方法の一つとしてプレボーリング工法がある。この工法は、アースオーガ等により地盤掘削をして杭穴を設け、この杭穴に根固め液や杭周固定液、もしくは、これらと掘削土砂とを撹拌混合して得られるソイルセメント状物を充填し、これら充填物で満たされた前記杭穴に前記既製杭を埋設するものである。
【０００３】
既製杭の埋設は、杭頭部と杭打機の駆動部とを回転キャップを介して連結し、この回転キャップにより前記既製杭を回転させながら前記充填物で満たされた前記杭穴に押し込むようにして行われる。
【０００４】
回転キャップは、中空かつ底面部が開放された円筒状のもので、円筒の外周側面には杭を吊り込み保持するために杭頭部の外周面に設けられた突起に係合し得る切欠き部を有したものが一般的である。
【０００５】
中には、既製杭を正確に埋設できるよう杭頭固定治具を備えたもの、確実に杭頭処理ができるよう杭頭処理機能を有するものなど、目的に応じて様々な工夫を凝らしたものもある。前者の例としては特許文献１がある。
【０００６】
特許文献１のものは、「杭頭部の外周に嵌装される円筒状の基礎杭キャップ本体の上端閉塞部から該基礎杭キャップ本体の下端側に向かって前記基礎杭の中空部の内径に対応する外径を有し、且つ前記円筒状の基礎杭キャップ本体の軸方向長さよりも短い棒状の弾性体からなる杭頭固定治具を前記基礎杭キャップ本体と同軸芯となるように垂設した基礎杭キャップ」である。
【０００７】
後者の例としては特許文献２がある。特許文献２のものは、「上部に杭打ち機に連結するための中空の軸部を有し、下部に既製杭の杭頭部を把持する杭把持部を有し、前記中空軸部の下端部に連通するように、回転キャップの基体内に、前記既製杭の中空部内に薄め液を吐出できるノズルを取り付けた杭頭処理機能付きの回転キャップ」である。
【０００８】
一方、既製杭としてＰＨＣ杭などを用いた場合は、上杭において杭頭やフーチングとの結合を強固なものにするため、該上杭における杭頭の杭径内部にコンクリートを打設することが行われている。
【０００９】
図６はこれを示すものであり、（ａ）に示すように、回転キャップ２３を用いて杭周固定液と掘削土砂の混合物による充填物６で満たされた杭穴３に既製杭を埋設後、充填物６が硬化してから（ｂ）に示すように、複式スコップ２８等で上杭の杭頭の杭径内部１４に充填されている前記充填物６を取り除く。その後、（ｃ）に示すように、充填物６が取り除かれた杭径内部１４にコンクリート２９を打設する。また、必要に応じて、コンクリート２９を打設する前に、補強鉄筋やフーチングとの接続鉄筋が配筋された鉄筋籠が設置される。（図示省略）
【００１０】
また、上杭の杭頭部を耐震補強すべく様々な手段がとられている。特許文献３はその一例であり、この例では既製杭の杭頭外周部に外管（鋼管）を配して杭頭部を二重管構造にして補強している。
【先行技術文献】
【特許文献】
【００１１】
【特許文献１】特開２００９−２６３８８１号公報
【特許文献２】特開２００１−３３６１４７号公報
【特許文献３】特開２００１−１０７３５６号公報
【発明の概要】
【発明が解決しようとする課題】
【００１２】
前記既製杭による上杭の耐震補強を行おうとすると、上述のような上杭における杭頭の杭径内部にコンクリートを打設する方法では杭頭部が強固になるため耐震補強になり得るものの、上記（ｂ）に示す前記充填物は硬化しているためその除去が困難であり、上記（ｃ）に示すコンクリート打設施工も手間やコストがかかる。
【００１３】
特許文献３に示すような外管（鋼管）を用いて杭頭部を補強する方法では、施工が複雑になるとともに外管（鋼管）とその施工分だけ手間やコストがかかってしまう。
【００１４】
本発明は、上述のような課題を考慮しつつ、杭径内部が中空の既製杭を埋設してなる杭基礎において、少なくとも上杭あるいは上杭の杭頭部に耐震補強を施した杭基礎構造、及び、従来の杭基礎構造の構築方法を大きく変えたり施工工程を増やしたりすることなく、簡便に前記杭基礎構造が構築できる杭基礎構造の構築方法を提供することを目的とする。
【課題を解決するための手段】
【００１５】
本発明者等は、上記目的を達成すべく鋭意検討した結果、少なくとも上杭や上杭の杭頭部に耐震補強を施すことが目的であれば、上記上杭等の杭径内部に充填するのはコンクリートでなくてもセメントミルクで良いこと、既製杭の埋設に用いる回転キャップにセメントミルクの吐出機能を付与すれば、従来の杭基礎構造の構築方法を大きく変えることなく上記上杭や上杭の杭頭部等に耐震補強が施せることを見出し、本発明を完成させた。
【００１６】
本願の発明の一つは、杭周固定液と掘削土砂との混合物が充填された杭穴に、杭径内部が中空のコンクリート製既製杭を埋設してなる杭基礎構造であって、埋設された前記既製杭の杭径内部は、少なくとも上杭の上端位置と該上端位置から２０ｍ下方の位置との間における該上端位置から所定の深さの範囲に充填されたセメントミルクによるセメントミルク層と、その下方の杭周固定液と掘削土砂との混合物による層とを含む複層からなり、前記セメントミルクの硬化物の一軸圧縮強度が５〜６５Ｎ／ｍｍ2であることを特徴とする杭基礎構造である。
【００１７】
本発明の杭基礎構造は、建物やフーチング等の上部構造物の基礎として地盤中に構築される既製杭による杭基礎の構造である。
【００１８】
既製杭が埋設される杭穴は、アースオーガ等の掘削機により従来の方法で形成される。杭穴の形状や寸法は特に限定されない。例えば、ストレート形状のもの、拡径部を有するものなどである。
【００１９】
前記杭穴には、従来と同様、杭周固定液と掘削土砂との混合物が充填され、該混合物が硬化しない前に杭径内部が中空の既製杭が埋設される。杭穴の底部は、該混合物に替えて根固め液もしくは根固め液と掘削土砂との混合物が充填されていてもよく、これら充填のものも本発明の範囲に含まれる。杭周固定液や根固め液は、従来から用いられているものであればよく、これらの種類は特に限定されない。
【００２０】
上記杭穴に埋設される杭径内部が中空のコンクリート製既製杭の種類は特に限定されない。例えば、ＰＣ杭、ＰＨＣ杭、ＰＲＣ杭などのコンクリート製杭、ＲＣ杭等の合成杭、ＳＣ杭、節杭などである。本発明における杭基礎の杭は、多くの場合、上杭と下杭、上杭と中杭と下杭など、複数の杭が継手などにより接続されてなる。継手を設けず、単杭として使用する場合もある。上記上杭は、この単杭も含む。
【００２１】
本発明の杭基礎構造は、杭周固定液と掘削土砂との混合物が充填された杭穴に杭径内部が中空の既製杭を埋設してなるものであり、完成した杭基礎では、杭穴の周壁と埋設された杭（上杭、中杭、下杭等）の外面との間及び中杭や下杭としての前記既製杭の杭径内部には前記混合物が充填されそれが硬化しており、埋設された前記既製杭の上杭の上端から２０ｍ以下（以内）における上端から所定の深さの範囲の前記既製杭の杭径内部はセメントミルクが充填されそれが硬化した構造となっている。このような構造にすることによって、本発明の目的である上杭あるいは上杭の杭頭部の耐震補強が図れる。
【００２２】
セメントミルクの充填範囲を埋設された前記既製杭の上杭の上端から２０ｍ以下（以内）の上端から所定の深さの範囲とするのは、この範囲が地震時に杭に作用する主な曲げモーメントおよびせん断力の範囲だからである。セメントミルクの充填範囲は、埋設された前記既製杭の上杭の上端から２０ｍ以下（以内）での該上端からの所定の範囲における前記既製杭の杭径内部であるからして、必ずしも上杭部分に限定されるものではなく、上杭の杭長によっては充填範囲が中杭、あるいは下杭の杭径内部にまで渡ることもあり、このような杭基礎構造のものも本発明の範囲に含まれる。
【００２３】
上記セメントミルクは、普通ポルトランドセメント、早強ポルトランドセメント等のポルトランドセメント、高炉セメント等の混合セメント、エコセメントといった各種セメントのいずれかを水セメント比５０〜１５０％の混練水で混練してなるものである。
【００２４】
必要に応じて、ブリーディグ防止剤、遅延材、分散剤、減水剤等の化学混和剤、活性シリカ粉、膨張材等のセメント混和材を添加してもよい。また、前記セメントミルクには、充填施工時に掘削土砂や杭周固定液が混入してしまうこともあるため、これらの混入物が入ったものも含めてセメントミルクと称す。
【００２５】
前記セメントミルクの硬化物は、一軸圧縮強度が５〜６５Ｎ／ｍｍ２であるのが好ましい。強度をこの範囲にすることによって、中空既製杭における杭体内のコンクリートと杭径内部に充填したセメントミルクとの付着強度が良好となるため揺れ等の外力に対して杭体とセメントミルクが一体挙動し、十分な耐震性能を確保できる。６５Ｎ／ｍｍ２を超える強度は過剰品質であって、これを得ようとすると強度面ではよいが施工し難くなったりコスト高となったりすることがある。
【００２６】
上記のような範囲の一軸圧縮強度にするには、例えば、所定の充填範囲に充填するのに必要な量以上のセメントミルクを該充填範囲に注入し、杭周固定液と掘削土砂との混合物を極力排除してセメントミルクと置き換えるようにするか、洗浄水により所定の充填範囲に存在する前記混合物を除去する前処理を施した後にセメントミルクを該充填範囲に注入すればよい。
【００２７】
本発明の上記杭基礎構造は、従来の杭基礎の構築工程の中で得ることができる。例えば、図４に示すように、アースオーガにより杭穴を掘削する際に掘削ヘッドや掘削ロッドに設けた吐出口からセメントミルクを吐出して、杭穴の下方部には根固め液や杭周固定液と掘削土砂との混合物が充填され上方部にはセメントミルクが充填された杭穴を造成し、該杭穴に既製杭を埋設すれば本発明の上記杭基礎構造が得られる。
【００２８】
あるいは、図５に示すように、従来通りの方法で根固め液や杭周固定液と掘削土砂との混合物が充填された杭穴に前記既製杭を埋設し、その後、埋設された前記既製杭による上杭の杭径内部を小径掘削ロッドにより掘削して充填されている混合物を除去しつつセメントミルクを注入して前記杭径内部に充填すれば本発明の上記杭基礎構造が得られる。
【００２９】
あるいは、後述の本発明の構築方法ように、本発明の特殊な既製杭埋設装置（回転キャップ）を用いることにより、杭の埋設施工の段階で本発明の上記杭基礎構造を得ることもできる。
【００３０】
本発明の他の一つである回転キャップとしてのこの既製杭埋設装置は、前記既製杭を保持して埋設するための回転キャップ本体と、前記回転キャップ本体の中央から下方に向かって着脱自在に装着され、吐出液の吐出口が備わった吐出液供給ロッドとを有するものである。
【００３１】
回転キャップ本体は、前記既製杭を保持して埋設する機能が備わったものであればその構造や形状は限定されず、従来と同様のものでよい。例えば、前述のような、中空かつ底面部が開放された円筒状のもので、円筒の外周側面には杭を吊り込み保持するために杭頭部の外周面に設けられた突起に係合し得る切欠き部を有したものが挙げられる。
【００３２】
この回転キャップ本体の中央（中軸部）には該回転キャップ本体の下方に向かって、吐出液の吐出口が備わった吐出液供給ロッドがジョイント部を介して脱着自在に装着されている。
【００３３】
吐出液供給ロッドは、アースオーガ等の掘削機で用いられるロッドと同様のものであり、ロッドの先端又はロッドの側面にはセメントミルク、洗浄水等の吐出液が吐出（噴射）できる吐出口（ノズルを含む）が設けられている。吐出口は、吐出液が低圧〜高圧で噴射できる口径と形状を有するものであれば、特に限定されない。アースオーガのロッドに設けられた従来の吐出口と同様のものでもよい。
【００３４】
吐出口をノズルとし、該ノズルの先端が吐出液をいろいろな方向に角度を変えてもしくは同時に噴出できる構造になっていれば、上述のセメントミルクの充填が効率よく行えるので好ましい。
【００３５】
前記吐出液供給ロッドは内部が中空となっており、前記吐出口まで前記吐出液を供給するための供給管が配されている。この供給管も、アースオーガのロッドに設けられた従来の供給管と同様のものでもよい。
【００３６】
なお、埋設する杭の杭径が小さい場合は杭径内部の径（内径）が小さくなるため前記ロッドに替えて上記吐出口を有する単なる注入管が好ましい。本発明では該注入管も含めて吐出液供給ロッドと称す。
【００３７】
前記吐出液供給ロッドの長さは、１〜２０ｍが好ましい。この範囲にすれば、杭打ち機の標準的な長さのリーダーに、キャップ、ロッドおよびヘッドを取り付けやすく、杭径内部へのヘッドおよびロッドの挿入が容易で、また、上下撹拌および吐出液の杭径内部への注入も容易である。前述のとおり、セメントミルクの充填範囲の長さが上杭の杭長より長くなる場合もあるので、その場合は前記吐出液供給ロッドの長さを上杭の杭長より長くして充填しても良い。上述の通り、本発明の杭基礎構造では、埋設された前記既製杭の上杭の上端から２０ｍ以下における前記既製杭の杭径内部にセメントミルクを充填するので、前記吐出液供給ロッドの長さを２０ｍを超えて長くする必要はない。
【００３８】
前記吐出液供給ロッド（前記注入管を除く）の外面には、複数の撹拌翼が備わっているのが好ましい。撹拌翼があれば杭径内部の前記混合物を排除したり、該杭径内部に残存している前記混合物とセメントミルクとの撹拌が容易となり、充填したセメントミルクの品質確保や強度・出来栄え等のばらつきを少なくすることができる。
【００３９】
前記撹拌翼は、羽根形状のもの、スクリュー式（スパイラルタイプ）のもの、などである。寸法は下記の掘削ヘッドの径と同じかそれ以下が望ましく、撹拌翼の設置位置は特に限定されず複数の翼が任意の位置にあればよいが、中でも一つが前記掘削ヘッド直上のジョイント部付近にあるのが望ましい。
【００４０】
また、前記吐出液供給ロッド（前記注入管を除く）の先端には掘削ヘッドが備わっているのが好ましい。掘削ヘッドが回転することにより前記杭径内部に充填されている未硬化の杭周固定液と掘削土砂の混合物が掘り起こされ上方に押し上げることができるので、該混合物の排除が容易となる。
【００４１】
この掘削ヘッドは、アースオーガの先端に取り付けられるものと同様のものである。例えば、先端に掘削爪があり、半巻以上のスパイラル上の板が取り付けられているといったものである。
【００４２】
上述の本発明の杭基礎構造の構築方法の一つとして、上述の本発明の既製杭埋設装置を用いて構築する方法が挙げられる。
【００４３】
すなわち、本発明の他の一つである杭基礎構造の構築方法は、上述の杭基礎構造の構築方法であって、上杭としての前記既製杭を埋設する際に、前記既製杭を保持して埋設するための回転キャップ本体と、前記回転キャップ本体の中央から下方に向かって装着され、吐出液の吐出口が備わった吐出液供給ロッドとを有する回転キャップとしての既製杭埋設装置を用い、前記吐出液供給ロッドが前記既製杭の杭径内部に挿入される形で前記回転キャップ本体により埋設する前記既製杭を保持して該既製杭を自沈、回転により埋設して上杭を設置し、上杭設置完了後に前記回転キャップ本体を逆回転させて該回転キャップ本体を上杭としての前記既製杭から外し、前記既製杭埋設装置を引き上げながら前記吐出口からセメントミルクを吐出して、上杭としての前記既製杭の杭径内部をセメントミルクで充填することを特徴とする杭基礎構造の構築方法である。
【００４４】
このように、本発明の前記既製杭埋設装置を用いれば、従来の杭基礎の構築（杭穴の形成及びソイルセメント状物の充填、既製杭の埋設）方法の中で効率よく前記本発明の杭基礎構造を構築することができる。
【００４５】
構築する本発明の杭基礎構造と構築する際に用いる本発明の既製杭埋設装置は、上述の通りである。
【００４６】
本発明の構築方法では、まず、アースオーガ等の掘削機により従来の方法で杭周固定液と掘削土砂との混合物が充填された杭穴を形成する。次に、前記混合物が硬化する前に従来の方法で上杭以外の既製杭を前記杭穴に埋設する。埋設する際、従来の既製杭埋設装置（回転キャップ）を用いてもよいが、本発明の上記既製杭埋設装置を用いてもよい。
【００４７】
少なくとも上杭を埋設・設置する際には、本発明の前記既製杭埋設装置を用いる。前記回転キャップ本体に該本体から下方に向けて吐出液供給ロッドが装着された本発明の既製杭埋設装置の前記回転キャップ本体部分で既製杭を把持して吊り上げ、該既製杭を自沈回転により埋設する。既製杭を把持して吊り上げる際、前記吐出液供給ロッドは前記既製杭の杭径内部に挿入される形となっている。
【００４８】
上杭までの設置が完了したら、前記回転キャップ本体を逆回転させて該回転キャップ本体を上杭としての前記既製杭から外し、前記既製杭埋設装置を引き上げながら前記吐出液供給ロッドの前記吐出口からセメントミルクを吐出して、上杭としての前記既製杭の杭径内部、もしくは上杭から中杭に渡る杭径内部、もしくは上杭から下杭に渡る杭径内部の所定範囲をセメントミルクで充填する。
【００４９】
なお、このセメントミルクの充填は、前記既製杭埋設装置（前記吐出液供給ロッド）を上下に一回もしくは複数回上げ下げし、その過程で行ってもよく、このような充填方法も本発明の範囲に含まれる。
【００５０】
また、前記吐出液供給ロッドの前記吐出口からのセメントミルクの吐出（中空既製杭の杭径内部への充填）は、前記回転キャップ本体を上杭から外して既製杭埋設装置を引き上げる際に行うのではなく、前記既製杭の杭径内部を前処理した後に行ってもよい。
【００５１】
例えば、前記吐出液供給ロッドとして、前記掘削ヘッドと撹拌翼が備わったものを用い、セメントミルクを吐出する前に前記杭径内部に充填されている前記混合物を地上に排出するといった前処理をし、その後、セメントミルクの充填作業を行ってもよい。
【００５２】
あるいは、前記回転キャップ本体を上杭から外して既製杭埋設装置を引き上げる際に高圧の洗浄水を噴出してセメントミルクを充填する所定範囲の杭径内部を洗浄するといった前処理をし、その後、セメントミルクの充填作業を行ってもよい。これらのような前処理を行うパターンも本発明の範囲に含まれる。
【００５３】
セメントミルク等の前記吐出液の前記吐出口は、吐出液供給ロッドの先端、側面、先端と側面の両方のいずれかに設けられる。ロッドの先端に掘削ヘッドを取り付ける場合は、該掘削ヘッドにだけ吐出口を設けておくこともできる。
【００５４】
セメントミルク、洗浄水等の前記吐出液の吐出は、必要に応じて低圧〜高圧における適圧で噴射して行う。ここで言う低圧とは２ＭＰａ程度の圧力であり、高圧とは１８ＭＰａ程度の圧力である。通常は、杭穴の形成時にアースオーガのヘッドやロッドからセメントミルクが吐出される際の２ＭＰａ程度の吐出圧（噴射圧）である。圧が低すぎるとセメントミルクの充填効率が悪くなったり前記混合物の混入が多くなって充填されたセメントミルクの品質が悪くなる。圧が高すぎると前記既製杭の内面を傷めてしまう虞がある。
【発明の効果】
【００５５】
建物やフーチングの下方に造成される杭基礎を本発明の杭基礎構造にすれば、少なくとも地震時に大きな曲げモーメントやせん断力が作用する上杭あるいは上杭の杭頭部に補強が施されているので、耐震性のある杭基礎となる。また、本発明の既製杭埋設装置を用いた本発明の杭基礎構造の構築方法によれば、従来の杭基礎構造の構築方法を大きく変えたり施工工程を増やしたりすることなく、簡便に前記杭基礎構造が構築できるので、施工が複雑になったり施工コストを大幅に上げることなく既製杭を用いた杭基礎の耐震化が図れる。
【図面の簡単な説明】
【００５６】
【図１】本発明の杭基礎構造の一例を示す図である。
【図２】本発明の既製杭埋設装置と、それを上杭に取り付けた状態を示す図である。（ａ）は吐出液供給ロッドとして掘削ヘッドと撹拌翼を備えたものを用いた例、（ｂ）は吐出液供給ロッドとして供給管を用いた例、（ｃ）は回転キャップ本体のＡ−Ａでの平面の例である。
【図３】本発明の杭基礎構造の構築方法の一例を示す図である。（ａ）は従来の回転キャップを用いて中杭・下杭を杭穴に埋設する直前の状態を示す図、（ｂ）は本発明の既製杭埋設装置を用いて上杭を杭穴に埋設する直前の状態を示す図、（ｃ）は杭の埋設が完了し既製杭埋設装置を上杭から外す図、（ｄ）と（ｅ）はセメントミルクを上杭の杭径内部に注入しながら既製杭埋設装置を上下させて、上杭の杭径内部にセメントミルクを充填している様子を示す図、（ｆ）はセメントミルクの充填が完了し本発明の杭基礎構造が完成した状態を示す図である。
【図４】本発明の既製杭埋設装置を用いないで本発明の杭基礎構造を構築する方法の一例を示す図である。（ａ）〜（ｅ）はアースオーガによる杭穴の形成を示す図、（ｆ）〜（ｇ）は従来の回転キャップによる下杭と中杭と上杭とからなる杭の杭穴への埋設を示す図、（ｈ）は杭の埋設が完了し本発明の杭基礎構造が完成した状態を示す図である。
【図５】本発明の既製杭埋設装置を用いないで本発明の杭基礎構造を構築する方法の一例を示す図である。（ａ）〜（ｂ）は従来の回転キャップによる下杭と中杭と上杭とからなる杭の杭穴への埋設を示す図、（ｃ）〜（ｄ）は小径掘削ロッドにより上杭の杭径内部に充填されている杭周固定液と掘削土砂との混合物を掘削し地上に排出することを主体とした施工を示す図、（ｅ）は前記杭径内部へのセメントミルクの充填施工を示す図、（ｆ）はセメントミルクの充填が完了し本発明の杭基礎構造が完成した状態を示す図である。
【図６】従来の杭頭補強方法の一例を示す図である。（ａ）は回転キャップを用いて杭周固定液と掘削土砂の混合物による充填物で満たされた杭穴に既製杭を埋設した図、（ｂ）は複式スコップを用いて上杭の杭頭の杭径内部に充填されている充填物を取り除く図、（ｃ）は充填物が取り除かれた杭径内部にコンクリートを打設することにより杭頭補強をした杭基礎を示す図である。
【発明を実施するための形態】
【００５７】
以下、本発明の実施形態について、図面に基づいて詳細に説明する。なお、本発明は、以下に説明する実施形態に限定されるものではない。
【００５８】
図１は、本発明の杭基礎構造１の一例を示す図である。この例では、地盤２中に杭穴３が設けられ、該杭穴３に上杭４と下杭５とからなる既製杭（ＳＣ杭、ＰＲＣ杭、ＰＨＣ杭等）による杭が埋設されている。
【００５９】
杭下部の杭穴底部にはセメントミルクからなる根固め液７が充填されている。杭穴底部より上方の杭穴周壁と杭外面との間及び下杭５の杭径内部と上杭４の杭径内部の一部は、杭周固定液と掘削土砂との混合物６からなるソイルセメント状物が充填されている。
【００６０】
杭周固定液はセメントミルクであり、杭周固定液と掘削土砂との混合割合は、杭周固定液：掘削土砂＝１：９〜９：１である。杭周固定液と掘削土砂との混合物６の硬化一軸圧縮強度は０．１〜３．０Ｎ／ｍｍ２程度となるように、杭周固定液の種類や配合を調整するのが好ましい。セメントミルクは、セメントスラリー、セメントにスラグ等のセメント混和材やベントナイト等の粘度調整剤や流動調整剤、強度増進剤等の化学混和剤を添加したセメント組成物によるスラリーである。
【００６１】
上杭４の杭頭部における杭径内部には、セメントミルク８が充填されている。この例では、上杭４の杭頭部だけであるが、上杭４における杭径内部の全体もしくは上杭４から下杭５に渡って充填してもよい。セメントミルク８の硬化による硬化物は、一軸圧縮強度が５〜６５Ｎ／ｍｍ２であるのが好ましい。この範囲にすることによって、作業性を大きく害することなく、また、著しいコスト高となることなく耐震補強効果を得ることができる。
【００６２】
セメントミルク８の充填範囲は、埋設された前記既製杭の上杭４の上端から２０ｍ以下における前記既製杭の杭径内部である。２０ｍ以下とするのは、この範囲が地震時に杭に作用する主な曲げモーメントおよびせん断力の範囲だからである。
【００６３】
建物やフーチングの下方に構築される杭基礎を上述のような本発明の杭基礎構造１にすれば、大地震により座屈等の損壊が起こり易い杭上部が強固になるので耐震性のある杭基礎が得られる。
【００６４】
図２は、本発明の既製杭埋設装置１１と、それを上杭１３に取り付けた状態を示す図である。（ａ）は吐出液供給ロッド１０として掘削ヘッド１６と撹拌翼１７を備えたものを用いた例、（ｂ）は吐出液供給ロッドとして供給管２０を用いた例、（ｃ）は回転キャップ本体９のＡ−Ａでの平面の例である。
【００６５】
本発明の既製杭埋設装置１１は、回転キャップ本体９と吐出液供給ロッド１０とからなる。回転キャップ本体９は、従来のものと同様のものであり、上面はジョイント部１５を介してヤットコのロッド１８に接続できるようになっている。
【００６６】
図の（ａ）に示すものでは、中空かつ下底面部が開放された円筒状のもので、円筒の外周側面には杭を吊り込み保持するために杭頭部の外周面に設けられた突起に係合し得る切欠部１２を有している。
【００６７】
図の（ｃ）に示すように、回転キャップ本体９の上面には開口部２２が設けられており、必要に応じて杭径内部１４の充填物６を地上に排出できるようになっている。そのため、開口部２２の開口面積は大きい方が好ましい。
【００６８】
本発明の既製杭埋設装置１１には、吐出液供給ロッド１０が備わっている。この吐出液供給ロッド１０の上端は前記回転キャップ本体９の上底面部に取り付けれるようになっている。
【００６９】
吐出液供給ロッド１０は、図に示すように、回転キャップ本体９の中央から下方に向かって装着される。装着は、ジョイント部１５を介すことにより回転キャップ本体９に着脱自在となっており、また、ジョイント部１５を複数設けることによりロッドの長さを変えることができるようになっている。
【００７０】
図の（ａ）に示す吐出液供給ロッド１０では、掘削ヘッド１６と撹拌翼１７が備わっている。掘削ヘッド１６は先端に掘削爪があり、半巻以上のスパイラル状の板があるといったものであり、撹拌翼１７は羽根形状のもの、あるいはスクリュー式（スパイラルタイプ）のものである。
【００７１】
そして、これらの近傍にはセメントミルク等の吐出液を吐出（噴射）するための吐出口１９が設けられている。図２（ａ）の例では、吐出口１９は掘削ヘッド１６の先端付近にのみ設けられているが、必要に応じて、撹拌翼１７近傍や吐出液供給ロッド１０の外側面にも設けてもよい。吐出口１９は、ノズル、吐出弁といったものであり、吐出液を高圧噴射する場合は、ノズルを使用する。
【００７２】
掘削ヘッド１６と撹拌翼１７が備わっていることにより、杭径内部に充填されている充填物（杭周固定液と掘削土砂との混合物）が開口部２２を通じて地上に排出しやすくなるとともに、このように吐出口１９が設けられていることにより、杭径内部１４へのセメントミルクの充填が効率よく効果的に行える。
【００７３】
吐出液供給ロッド１０は内部に吐出液の輸送管となる内管が設置された二重管構造となっており、セメントミルク等の吐出液が吐出口１９まで送液できるようになっている。
【００７４】
図の（ｂ）に示す吐出液供給ロッドは、注入管２０となっている。この注入管２０には少なくとも先端に開閉蓋２１のある吐出口１９が設けられており、吐出口１９の奥には吐出口１９からの逆流を防ぐための弁が設けられている。埋設する杭の杭径が小さい場合は杭径内部１４の径（内径）が小さくなるため前記吐出液供給ロッド１０に替えて先端等に吐出口１９を有する単なる注入管２０が好ましい。
【００７５】
この注入管２０の内部もセメントミルク等の吐出液を圧送できる二重管構造となっており、セメントミルク等の吐出液が先端の吐出口１９まで送液できるようになっている。開閉蓋２１は内部からの吐出圧で作動するようになっており、吐出液の吐出時以外は閉じられている。この例では、吐出口１９は注入管２０の先端のみに設けられているが、必要に応じて注入管２０の管側面に複数設けてもよい。
【００７６】
図２（ａ）、（ｂ）は、本発明の既製杭埋設装置１１を上杭１３に取り付けた状態を示す図でもある。既製杭埋設装置１１は、図に示すように、回転キャップ本体９で上杭１３（中空既製杭）の上端を把持し、吐出液供給ロッド１０を杭径内部１４に挿入する形で上杭１３に取り付けられる。
【００７７】
この例では、上杭１３の杭頭部の側面に回転キャップ本体９の切欠部１２と嵌合する突起部（図示省略）が設けられており、該突起部と前記切欠部１２とが嵌合することにより既製杭埋設装置１１が上杭１３を保持（把持、吊り上げ）できるようになっている。既製杭埋設装置１１による上杭１３の保持方法はこれに限定されるものではなく、本発明の既製杭埋設装置１１の構成を変えるものでなければ、他の従来法を用いてもよい。
【００７８】
図３は、本発明の杭基礎構造の構築方法の一例を示す図である。（ａ）は従来の回転キャップ２３を用いて下杭５を杭穴３に埋設する直前の状態を示す図、（ｂ）は本発明の既製杭埋設装置１１を用いて上杭４を杭穴３に埋設する直前の状態を示す図、（ｃ）は杭の埋設が完了し既製杭埋設装置１１を上杭４から外す図、（ｄ）と（ｅ）はセメントミルク８を上杭４の杭径内部１４に注入しながら既製杭埋設装置１１を上下させて、上杭４の杭径内部１４にセメントミルク８を充填している様子を示す図、（ｆ）はセメントミルク８の充填が完了し本発明の杭基礎構造１が完成した状態を示す図である。
【００７９】
この例では、杭穴３に埋設される杭は上杭４と中杭２４と下杭５とからなる。杭は上杭４と下杭５とからなるものでもよく、これらに限定されるものではない。
【００８０】
杭穴３には、図の（ａ）に示すように、杭穴形成時に作られた杭周固定液と掘削土砂との混合物６が充填されている。下杭５の上端部に従来の回転キャップ２３が取り付けられ、下杭５は従来の回転キャップ２３に保持された状態で従来の方法で自沈回転しながら杭穴３の所定の位置に埋設される。中杭２４も、下杭５に連結する形で、従来の回転キャップ２３により従来の方法で自沈回転しながら杭穴３に埋設される（図示省略）。この例では、中杭２４や下杭５を埋設する際に従来の回転キャップ２３を用いたが、本発明ではこれに限定されるものではなく、この従来の回転キャップ２３に替えて、本発明の既製杭埋設装置１１を用いてもよい。
【００８１】
少なくとも上杭４を埋設する際は、従来の回転キャップ２３に替えて本発明の既製杭埋設装置１１が用いられる。既製杭埋設装置１１における吐出液供給ロッド１０の先端部には掘削ヘッドと撹拌翼が備わっている。
【００８２】
図の（ｂ）に示すように、既製杭埋設装置１１の吐出液供給ロッド１０を上杭４杭径内部に挿入するようにして回転キャップ本体９で上杭４の上端を把持して既製杭埋設装置１１が上杭４の上端に取り付けられる。その後、回転キャップ本体９を正回転させることにより上杭４は自沈回転しながら杭穴３に埋設される。
【００８３】
杭の埋設が完了したら、図の（ｃ）に示すように、既製杭埋設装置１１の回転キャップ本体９を逆回転させて杭から外し、既製杭埋設装置１１を引き上げながら前記回転キャップ本体９を正回転することにより掘削ヘッドや撹拌翼の翼を介して上杭４の杭径内部１４に充填されていた杭周固定液と掘削土砂との混合物６を上方に押し上げ、該杭周固定液と掘削土砂との混合物６を地上に排出する。その際、前記吐出口１９から高圧の洗浄水もしくはセメントミルクを吐出（噴射）することにより、充填範囲の杭径内部１４を洗浄してもよい。この（ｃ）の工程は、杭の埋設後、杭周固定液と掘削土砂との混合物６が硬化し始める前に行う。
【００８４】
その後、図の（ｄ）〜（ｅ）に示すように、所定配合と所定密度のセメントミルク８を吐出液供給ロッド１０の吐出口１９から吐出しながら既製杭埋設装置１１を上下させ、前記杭周固定液と掘削土砂との混合物６の地上への排出を更に進めるとともに、図に示すような所定の充填範囲にセメントミルク８を充填する。
【００８５】
充填が完了したら、図の（ｆ）に示すように、本発明の既製杭埋設装置１１を杭穴３から出しセメントミルク８と杭周固定液と掘削土砂との混合物６が十分に硬化すれば本発明の杭基礎構造１が完成する。
【００８６】
このように、本発明の前記既製杭埋設装置を用いれば、従来の施工工程をほとんど変えることなく、基礎杭の杭頭部が耐震化された本発明の基礎杭構造１が簡便に得られる。
【００８７】
図４は、上述のような本発明の既製杭埋設装置を用いないで本発明の杭基礎構造１を構築する方法の一例を示す図である。（ａ）〜（ｅ）はアースオーガ２５による杭穴３の形成を示す図、（ｆ）〜（ｇ）は従来の回転キャップ２３による下杭５と中杭２４と上杭４とからなる杭の杭穴３への埋設を示す図、（ｈ）は杭の埋設が完了し本発明の杭基礎構造１が完成した状態を示す図である。
【００８８】
本発明の杭基礎構造１は、上述のような本発明の既製杭埋設装置を用いた方法でなくとも、図４に示す例のように、従来の杭基礎施工の中で構築することもできる。
【００８９】
図の（ａ）〜（ｃ）に示すように、まず、アースオーガ２５等の掘削機により目的の杭穴３を形成する。そして、図の（ｄ）に示すように、掘削時又はアースオーガ２５等の掘削機を引き上げる段階で、杭穴３に杭周固定液と掘削土砂との混合物６を充填していく。杭穴３の底部は、ほとんどの場合、根固め液７を充填する。
【００９０】
杭穴１３の上方部では、掘削土砂を極力地上に排出した後、アースオーガ２５等の掘削機に設けられた吐出口からセメントミルクを吐出してセメントミルク８を充填する。したがって、図の（ｅ）に示すように、杭穴３は、下方部には杭周固定液と掘削土砂との混合物６が充填され上方部にはセメントミルク８が充填された構造となっている。
【００９１】
その後、図の（ｆ）〜（ｇ）に示すように、杭周固定液と掘削土砂との混合物６とセメントミルク８が硬化する前に、回転キャップ２３を用いて従来の方法で杭を埋設する。そうすれば、図の（ｈ）に示すように、本発明の杭基礎構造１が従来の杭基礎施工の中で構築できる。
【００９２】
このように、本発明の杭基礎構造１を構築するのに必ずしも本発明の既製杭埋設装置１１を用いる必要はないが、この方法だと杭挿入時にセメントミルクが移動するため、所定のセメントミルク充填範囲を確実に充填するためには、充填範囲を該充填範囲より長くしておく必要があるといった問題が生じる可能性があるので、前述の本発明の既製杭埋設装置を用いた構築方法の方が好ましい。
【００９３】
本発明の既製杭埋設装置を用いないで本発明の杭基礎構造を構築する方法として、次のような方法もある。
【００９４】
図５も、上述のような本発明の既製杭埋設装置を用いないで本発明の杭基礎構造１を構築する方法の一例を示す図である。（ａ）〜（ｂ）は従来の回転キャップ２３による下杭５と中杭２４と上杭４とからなる杭の杭穴３への埋設を示す図、（ｃ）〜（ｄ）は小径掘削ロッド２６により上杭４の杭径内部１４に充填されている杭周固定液と掘削土砂との混合物６を掘削し地上に排出することを主体とした施工を示す図、（ｅ）は前記杭径内部１４へのセメントミルク８の充填施工を示す図、（ｆ）はセメントミルク８の充填が完了し本発明の杭基礎構造１が完成した状態を示す図である。
【００９５】
本発明の杭基礎構造１は、上記図４に示す方法以外にも、本発明の既製杭埋設装置を用いないで構築することができる。
【００９６】
図５に示す方法では、まず、アースオーガ等による従来の方法で杭周固定液と掘削土砂との混合物６が充填された杭穴３を形成し（図示省略）、図の（ａ）〜（ｂ）に示すように、回転キャップ２３を用いて従来の方法で杭を埋設する。その後、図の（ｃ）〜（ｅ）に示すように、上杭４の杭径内部１４に挿入可能な小径掘削ロッド２６を用いて杭径内部１４に充填されている杭周固定液と掘削土砂との混合物６を除去しつつ、除去した個所にセメントミルク８を充填する。この（ｃ）〜（ｅ）の作業は、杭周固定液と掘削土砂との混合物６が硬化する前に行うのが好ましい。硬化した後だと前記除去作業がし難くなる。
【００９７】
充填が完了したら、図の（ｆ）に示すように、小径掘削ロッド２６を杭穴３から撤去しセメントミルク８と杭周固定液と掘削土砂との混合物６を十分に硬化させれば本発明の杭基礎構造１が完成する。
【００９８】
このような方法でも、本発明の既製杭埋設装置を用いずに本発明の杭基礎構造１を構築することができるが、この方法だと(1)上杭の埋設位置が深い場合、小径掘削ロッドの杭径内部への挿入時に杭に接触し、杭を押す可能性がある、(2)小径掘削ロッド挿入時に杭穴の上部に残存する泥水を杭径内部に押し込んでしまうといった問題が生じる可能性があるので、やはり前述の本発明の既製杭埋設装置を用いた構築方法の方が好ましい。
【符号の説明】
【００９９】
１…杭基礎構造、２…地盤、３…杭穴、４…上杭、５…下杭、６…杭周固定液と掘削土砂との混合物、７…根固め液、８…セメントミルク、９…回転キャップ本体、１０…吐出液供給ロッド、１１…既製杭埋設装置、１２…切欠部、１３…上杭（中空既製杭）、１４…杭径内部、１５…ジョイント部、１６…掘削ヘッド、１７…撹拌翼、１８…ヤットコのロッド、１９…吐出口、２０…注入管（吐出液供給ロッド）、２１…開閉蓋、２２…開口部、２３…従来の回転キャップ、２４…中杭、２５…アースオーガ、２６…小径掘削ロッド、２７…オーガー駆動装置、２８…複式スコップ、２９…コンクリート、３０…バケット
【図１】
0006634251.tif 000002
【図２】
0006634251.tif 000003
【図３】
0006634251.tif 000004
【図４】
0006634251.tif 000005
【図５】
0006634251.tif 000006
【図６】
0006634251.tif 000007